(57)【要約】【課題】画像表示装置に対する患者情報等の入力の利便性を高めるために医療情報管理サーバとともにネットワークシステムを構築して利用する上で、利用時にネットワーク接続に断状態があっても、従来システムとの共存によって検査、診断を継続できるとともに、管理する情報の整合性を確保できるようにする。【解決手段】ワークステーション４０は、患者情報等を取得する際には、医療情報管理サーバ３０との接続状態を確認し、接続されていない場合には、従来システムとの共存によって当該ワークステーション４０で患者情報等を入力設定し仮の検査識別情報を付与して受信装置５０に転送することで、医療情報管理サーバ３０から患者情報等を取得できない状況であっても検査を継続でき、かつ、仮の検査ＩＤとピックアップ画像とを医療情報管理サーバ３０に転送し、仮の検査ＩＤが付与された患者情報等を登録した上で診断レポートを作成して記憶させるようにした。【選択図】        図６
2009061123.tif 000002
【特許請求の範囲】
【請求項１】
入力された患者情報、検査情報並びに検査毎に異ならせて付与する検査識別情報並びに診断結果を管理する医療情報管理サーバと、
被検体内に導入された被検体内導入装置で撮像された被検体内画像情報を蓄積する受信装置と、
ネットワークを介して前記医療情報管理サーバに接続され、該医療情報管理サーバを検索して取得した所望の前記患者情報、検査情報を対応する前記検査識別情報とともに前記受信装置に設定するとともに、前記患者情報、検査情報および検査識別情報が設定された前記受信装置に蓄積された被検体内画像情報を取得し所定の画像を抽出して前記医療情報管理サーバに転送する複数台の画像表示装置と、
を備え、
前記画像表示装置は、前記患者情報、検査情報および検査識別情報を取得する際に、前記医療情報管理サーバとの接続状態を確認し、前記医療情報管理サーバと接続されていない場合には、当該画像表示装置で患者情報、検査情報を入力設定するとともに仮の検査識別情報を付与して前記受信装置に転送し、
前記受信装置は、前記被検体内導入装置で撮像されて受信した被検体内画像情報を前記検査識別情報または前記仮の検査識別情報と対応付けて前記画像表示装置に転送し、
前記画像表示装置は、前記検査識別情報または前記仮の検査識別情報とともに、前記受信装置から取得した被検体内画像情報から所定の画像を抽出して前記医療情報管理サーバに転送し、
前記医療情報管理サーバは、前記画像表示装置から前記所定の画像が転送された場合であって仮の検査識別情報が付与されているときには、仮の検査識別情報が付与された患者情報、検査情報を登録した後、転送された前記所定の画像に基づき診断レポートを作成して記憶することを特徴とする医療情報管理ネットワークシステム。
【請求項２】
前記画像表示装置は、前記受信装置から取得した被検体内画像情報から所定の画像を抽出して前記医療情報管理サーバに転送する際に、前記医療情報管理サーバとの接続状態を確認し、前記医療情報管理サーバと接続されている場合には前記検査識別情報または前記仮の検査識別情報とともに抽出された前記所定の画像を前記医療情報管理サーバに転送し、前記医療情報管理サーバが接続されていない場合には抽出された前記所定の画像に基づき当該画像表示装置で診断レポートを作成し、前記医療情報管理サーバとの接続の復旧後に前記検査識別情報または前記仮の検査識別情報とともに該診断レポートを前記医療情報管理サーバに転送し、
前記医療情報管理サーバは、前記画像表示装置から診断レポートが転送された場合であって仮の検査識別情報が付与されているときには、仮の検査識別情報が付与された患者情報、検査情報を登録した後、転送された診断レポートを記憶することを特徴とする請求項１に記載の医療情報管理ネットワークシステム。
【発明の詳細な説明】
【技術分野】
【０００１】
本発明は、医療情報管理ネットワークシステムに関するものである。
【背景技術】
【０００２】
近年、内視鏡の分野において、撮像機能と無線通信機能とを備えたカプセル型内視鏡が登場している。また、かかるカプセル型内視鏡を用いて被検体の臓器内部の画像を撮像し、撮像した画像を受信装置によって順次受信し、受信装置によって受信された被検体内の画像をワークステーション等の画像表示装置によって順次表示して、被検体内の観察（検査）を行うカプセル型内視鏡システムが提案されている。
【０００３】
かかるカプセル型内視鏡システムにおいて、ワークステーション等の画像表示装置に手動で入力された患者情報、検査情報は、受信装置に転送される。受信装置は、画像表示装置から取り外され、被検体の体表に装着された後、嚥下されたカプセル型内視鏡から送信されてくる最大約８時間分（約６００００枚）の画像を蓄積する。カプセル型内視鏡による撮影後、受信装置は、被検体から取り外され、再び画像表示装置に接続される。画像表示装置は、受信装置が接続されると、受信装置に蓄積されている大量の画像の転送を受け、画像の観察および診断レポートの作成に供する。
【０００４】
このようなワークステーション等による画像表示装置は、従来にあっては、スタンドアロンで稼動している（例えば、特許文献１参照）。
【０００５】
ここで、患者情報、検査情報、診断結果等を管理する医療情報管理サーバを備え、画像表示装置をネットワークを介して医療情報管理サーバに接続してネットワークシステムを構築すれば、利便性が向上する。例えば、医療情報管理サーバに接続された画像表示装置は、患者情報、検査情報を、ネットワークを介して医療情報管理サーバから取得し自動で受信装置に転送する。そして、カプセル型内視鏡による被検体内の撮影後は、受信装置は、蓄積された画像を画像表示装置に転送する。画像表示装置は、転送された画像について医師等の操作指示に基づき病変部と疑われる所定の画像の抽出等の処理を行うとともに、抽出された所定の画像を医療情報管理サーバに転送する。医療情報管理サーバは、転送された所定の画像を基に診断レポートを作成することが可能となる。
【０００６】
【特許文献１】特開２００６−６１６２７号公報
【発明の開示】
【発明が解決しようとする課題】
【０００７】
しかしながら、このような医療情報管理ネットワークシステムを構築しても、画像表示装置は、その利用時において何らかの原因により医療情報管理サーバとの接続が断状態にあると、受信装置に転送すべき患者情報、検査情報を医療情報管理サーバから取得することができない。また、受信装置から転送された画像について病変部と疑われる所定の画像を抽出した場合にも、所定の画像を医療情報管理サーバに転送させることができない。これらにより、検査、診断が中断してしまうことがある。
【０００８】
一方、画像表示装置について、従来のスタンドアロンで稼動していた機能を利用すれば、自身で患者情報、検査情報を入力設定して受信装置に転送させることが可能であるが、医療情報管理サーバに登録されていない患者情報、検査情報を元に検査を行うこととなり、画像表示装置から医療情報管理サーバに、抽出された所定の画像を転送させてアップロードさせる際に管理する情報に不整合が発生してしまう。
【０００９】
本発明は、上記に鑑みてなされたものであって、画像表示装置に対する患者情報、検査情報の入力の利便性を高めるために医療情報管理サーバとともにネットワークシステムを構築して利用する上で、利用時にネットワーク接続に断状態があっても、従来システムとの共存によって検査、診断を継続させることができるとともに、管理する情報の整合性を確保することができる医療情報管理ネットワークシステムを提供することを目的とする。
【課題を解決するための手段】
【００１０】
上述した課題を解決し、目的を達成するために、本発明にかかる医療情報管理ネットワークシステムは、入力された患者情報、検査情報並びに検査毎に異ならせて付与する検査識別情報並びに診断結果を管理する医療情報管理サーバと、被検体内に導入された被検体内導入装置で撮像された被検体内画像情報を蓄積する受信装置と、ネットワークを介して前記医療情報管理サーバに接続され、該医療情報管理サーバを検索して取得した所望の前記患者情報、検査情報を対応する前記検査識別情報とともに前記受信装置に設定するとともに、前記患者情報、検査情報および検査識別情報が設定された前記受信装置に蓄積された被検体内画像情報を取得し所定の画像を抽出して前記医療情報管理サーバに転送する複数台の画像表示装置と、を備え、前記画像表示装置は、前記患者情報、検査情報および検査識別情報を取得する際に、前記医療情報管理サーバとの接続状態を確認し、前記医療情報管理サーバと接続されていない場合には、当該画像表示装置で患者情報、検査情報を入力設定するとともに仮の検査識別情報を付与して前記受信装置に転送し、前記受信装置は、前記被検体内導入装置で撮像されて受信した被検体内画像情報を前記検査識別情報または前記仮の検査識別情報と対応付けて前記画像表示装置に転送し、前記画像表示装置は、前記検査識別情報または前記仮の検査識別情報とともに、前記受信装置から取得した被検体内画像情報から所定の画像を抽出して前記医療情報管理サーバに転送し、前記医療情報管理サーバは、前記画像表示装置から前記所定の画像が転送された場合であって仮の検査識別情報が付与されているときには、仮の検査識別情報が付与された患者情報、検査情報を登録した後、転送された前記所定の画像に基づき診断レポートを作成して記憶することを特徴とする。
【００１１】
また、本発明にかかる医療情報管理ネットワークシステムは、上記発明において、前記画像表示装置は、前記受信装置から取得した被検体内画像情報から所定の画像を抽出して前記医療情報管理サーバに転送する際に、前記医療情報管理サーバとの接続状態を確認し、前記医療情報管理サーバと接続されている場合には前記検査識別情報または前記仮の検査識別情報とともに抽出された前記所定の画像を前記医療情報管理サーバに転送し、前記医療情報管理サーバが接続されていない場合には抽出された前記所定の画像に基づき当該画像表示装置で診断レポートを作成し、前記医療情報管理サーバとの接続の復旧後に前記検査識別情報または前記仮の検査識別情報とともに該診断レポートを前記医療情報管理サーバに転送し、前記医療情報管理サーバは、前記画像表示装置から診断レポートが転送された場合であって仮の検査識別情報が付与されているときには、仮の検査識別情報が付与された患者情報、検査情報を登録した後、転送された診断レポートを記憶することを特徴とする。
【発明の効果】
【００１２】
本発明にかかる医療情報管理ネットワークシステムによれば、画像表示装置は、患者情報、検査情報を取得する際には、医療情報管理サーバとの接続状態を確認し、医療情報管理サーバと接続されていない場合には、従来システムとの共存によって当該画像表示装置で患者情報、検査情報を入力設定するとともに仮の検査識別情報を付与して受信装置に転送することで、医療情報管理サーバから患者情報、検査情報を取得できない状況であっても画像表示装置自身で患者情報、検査情報を入力設定することで検査を継続し、仮の検査識別情報と抽出された所定の画像とを医療情報管理サーバに転送して医療情報管理サーバで仮の検査識別情報が付与された患者情報、検査情報を登録した上で診断レポートを作成して記憶させ、管理する情報の整合性を確保することができるという効果を奏する。
【００１３】
また、本発明にかかる医療情報管理ネットワークシステムによれば、画像表示装置は、受信装置から取得した被検体内画像情報から所定の画像を抽出して医療情報管理サーバに転送する際にも、医療情報管理サーバとの接続状態を確認し、医療情報管理サーバと接続されていない場合には従来システムとの共存によって画像表示装置側で診断レポートを作成して接続復旧後に検査識別情報または仮の検査識別情報とともに医療情報管理サーバに転送して医療情報管理サーバで仮の検査識別情報が付与された患者情報、検査情報を登録した上で診断レポートを記憶させることで、患者情報、検査情報が画像表示装置側で入力設定された場合であっても診断を継続させることができ、管理する情報の整合性を確保することができるという効果を奏する。
【発明を実施するための最良の形態】
【００１４】
以下、図面を参照して、本発明にかかる医療情報管理ネットワークシステムの好適な実施の形態を詳細に説明する。本発明は、実施の形態に限らず、本発明の趣旨を逸脱しない範囲であれば、種々の変形が可能であり、実施の形態によってこの発明が限定されるものではない。
【００１５】
本実施の形態の医療情報管理ネットワークシステムの説明に先立ち、カプセル型内視鏡システムの概略について説明する。図１は、本発明の実施の形態にかかるカプセル内視鏡システムの一例を示す模式図である。図１に示すように、カプセル型内視鏡システム１０は、患者等の被検体１の被検体内画像を撮像する被検体内導入装置であるカプセル型内視鏡２と、このカプセル型内視鏡２から被検体１の被検体内画像情報を受信して蓄積する受信装置３と、受信装置３が受信し蓄積した被検体１の被検体内画像情報を取得して表示、その他の所定の処理を行うワークステーション４と、受信装置３とワークステーション４との間のデータの受け渡しを行うための可搬型の記録媒体５とを備える。
【００１６】
カプセル型内視鏡２は、被検体１の体内画像を撮像するためのものであり、被検体１の臓器内部に導入可能なカプセル型筐体の内部に撮像機能と無線通信機能とを有する。具体的には、カプセル型内視鏡２は、被検体１の口から飲込まれた後、臓器の蠕動運動等によって被検体１の臓器内部を移動しつつ、所定の間隔（例えば０．５秒間隔）で体内画像を順次撮像する。そして、カプセル型内視鏡２は、被検体１の体内画像を含む被検体内情報を外部の受信装置３に対して順次無線送信する。また、カプセル型内視鏡２は、自身を特定するカプセルＩＤを有し、撮像した画像データを含む画像信号にカプセルＩＤを付加する。このようなカプセル型内視鏡２は、体内画像等の画像データとともに自身のカプセルＩＤを外部の受信装置３に対して順次無線送信する。
【００１７】
受信装置３は、カプセル型内視鏡２が撮像した被検体１の体内画像を無線で受信して蓄積するためのものである。具体的には、受信装置３は、複数の受信アンテナ３ａ〜３ｈを有し、カプセル型内視鏡２を臓器内部に導入する被検体１に装着（携帯）される。受信装置３は、受信アンテナ３ａ〜３ｈを介して、カプセル型内視鏡２が無線送信した画像信号を順次受信して、この画像信号に含まれる画像データとカプセルＩＤとを取得する。また、受信装置３は、記録媒体５を有し、カプセル型内視鏡２から受信した被検体１の体内画像とカプセルＩＤとをこの記録媒体５に格納する。
【００１８】
ワークステーション４は、記録媒体５を介して被検体１の体内画像等の各種データを取得し、この取得した各種データをディスプレイ上に表示する画像表示装置としての機能を有する。ワークステーション４は、記録媒体５を介して取得した被検体１の体内画像を表示する。医師または看護師等のユーザは、ワークステーション４が表示した被検体１の体内画像を観察（検査）し、被検体１を診断することで、最大８時間（約６００００枚）の画像中から病変部と疑われる所定の画像を抽出するピックアップ処理を行う。また、ワークステーション４は、従来通り、必要に応じて被検体１の診断結果等を示す診断レポートを作成するレポート作成機能を有し、この作成した診断レポートをディスプレイ上に表示する。
【００１９】
記録媒体５は、可搬型の記録媒体であり、上述した受信装置３とワークステーション４との間のデータの受け渡しを行うためのものである。具体的には、記録媒体５は、受信装置３およびワークステーション４に対して着脱可能であって、両者に対する挿着時にデータの出力および記録が可能な構造を有する。このような記録媒体５は、受信装置３に挿着された場合、受信装置３がカプセル型内視鏡２から受信した被検体１の体内画像等を記録し、ワークステーション４に挿着された場合、被検体１の体内画像等の記録データをワークステーション４に送出する。なお、本実施の形態では、可搬型の記録媒体５を介して受信装置３・ワークステーション４間のデータの授受を行うものであり、記録媒体５を受信装置３の一部として扱うが、受信装置３を直接ワークステーション４に接続してデータの授受を行うこととしてもよい。
【００２０】
なお、かかる記録媒体５が記録する各種データは、例えば、被検体１の体内画像群、これら体内画像群に含まれる各体内画像の時間情報（撮像時刻、受信時刻等）、この被検体１の体内画像群を撮像したカプセル型内視鏡２のカプセルＩＤ、被検体１の患者情報、被検体１の検査情報等である。ここで、被検体１の患者情報は、被検体１を特定する特定情報であり、例えば、被検体１の患者名、患者ＩＤ、生年月日、性別、年齢等である。また、被検体１の検査情報は、被検体１に対して実施されるカプセル型内視鏡検査（臓器内部にカプセル型内視鏡２を導入して臓器内部を観察するための検査）を特定する特定情報であり、例えば、検査毎に異なる検査識別情報である検査ＩＤ、検査日等である。
【００２１】
このような受信装置３（記録媒体５を含む）やワークステーション４を用いて構成される、本実施の形態の医療情報管理ネットワークシステムについて説明する。図２は、本実施の形態の医療情報管理ネットワークシステムの構成の一例を示す概略図である。この医療情報管理ネットワークシステム２０は、医療情報管理サーバ３０と、複数台のワークステーション４０と、受信装置５０と、ネットワーク６０とにより構築されている。
【００２２】
医療情報管理サーバ３０は、図示しないクライアント端末等を通じて入力された上述の患者情報や検査情報に対して検査毎に異ならせた検査ＩＤを付与して管理するとともに、ワークステーション４０から転送される診断結果を管理するためのものである。また、ネットワーク６０は、インターネット、イントラネット、有線ＬＡＮ、または無線ＬＡＮ等によって実現される。さらに、ワークステーション４０は、前述のワークステション４に相当し、受信装置５０は、前述の受信装置３に相当し、記録媒体５を含むものとする。
【００２３】
ここで、医療情報管理サーバ３０の概略構成例について図３を参照して説明する。図３は、医療情報管理サーバ３０の概略構成例を示すブロック図である。医療情報管理サーバ３０は、制御部３１とデータベース３２とインターフェース（Ｉ／Ｆ）３３とを備える。インターフェース３３は、医療情報管理サーバ３０をネットワーク６０に接続するためのものである。制御部３１は、管理部３１ａと転送処理部３１ｂとレポート作成部３１ｃと登録処理部３１ｄとを有する。
【００２４】
管理部３１ａは、外部のクライアント端末等から入力される患者情報や検査情報をデータベース３２中の患者情報格納欄３２ａや検査情報格納欄３２ｂに格納する制御を行う。検査情報中には、検査毎に異なる検査識別情報である検査ＩＤが含まれるが、検査ＩＤの付与は、管理部３１ａにより行われる。ここで、検査ＩＤとしては、例えばシーケンシャルな番号が用いられる。また、管理部３１ａは、ネットワーク６０を介してワークステーション４０側から転送される所定のピックアップ画像をデータベース３２中のピックアップ画像格納欄３２ｃに患者情報、検査情報等と関連付けて格納する制御を行う。レポート作成部３１ｃは、ワークステーション４０側から転送されピックアップ画像格納欄３２ｃに格納された所定のピックアップ画像を元に患者情報、検査情報等と関連付けた被検体１の診断結果等を示す診断レポートを作成し、データベース３２中のレポート格納欄３２ｄに格納する。また、管理部３１ａは、ワークステーション４０側で作成された診断レポートが転送された場合には、診断レポートをデータベース３２中のレポート格納欄３２ｄに格納する制御も行う。
【００２５】
また、制御部３１中の登録処理部３１ｄは、検査ＩＤに代えてワークステーション４０によって後述の仮の検査識別情報である仮の検査ＩＤが付与されてピックアップ画像や診断レポートがワークステーション４０側から転送された場合に、ワークステーション４０側で入力設定された患者情報、検査情報を元にデータベース３２内を検索し、同じ患者情報、検査情報のものが存在すれば仮の検査ＩＤを本来の検査ＩＤに置換える一方、同じ患者情報、検査情報のものが存在しなければ新規なものとして仮の検査ＩＤに代えて検査ＩＤを新たに付与してワークステーション４０側で入力設定された患者情報、検査情報をそれぞれ患者情報格納欄３２ａ、検査情報格納欄３２ｂに登録する処理を行い、以降の処理を管理部３１ａやレポート作成部３１ｃに行わせる制御を行う。
【００２６】
また、制御部３１中の転送処理部３１ｂは、ワークステーション４０側から患者情報、検査情報の転送要求があった場合に、その検索元のワークステーション４０への患者情報、検査情報の転送に際して、データベース３２を参照して、患者情報、検査情報に検査ＩＤを付加して転送する処理を行うためのものである。
【００２７】
つぎに、ワークステーション４０の構成について説明する。図４は、ワークステーション４０の概略構成例を示すブロック図である。ワークステーション４０は、各種情報を入力する入力部４１と、被検体１の体内画像等を表示する表示部４２と、記録媒体５を挿着するカードインターフェース（Ｉ／Ｆ）４３とを有する。また、ワークステーション４０は、ネットワーク６０を介して医療情報管理サーバ３０と情報通信を行うためのインターフェース（Ｉ／Ｆ）４４と、被検体１の体内画像等の各種データを記憶する記憶部４５と、ワークステーション４０の各構成部を制御する制御部４６とを有する。
【００２８】
入力部４１は、キーボードおよびマウス等の入力デバイスを用いて実現される。入力部４１は、ユーザが行う入力操作に応じて、制御部４６に各種情報を入力する。入力部４１は、必要に応じて、患者情報、検査情報を手動操作で入力設定するために用いられる。表示部４２は、液晶ディスプレイ等の各種ディスプレイを用いて実現され、制御部４６によって表示指示された各種情報を表示する。表示部４２は、例えば、カプセル型内視鏡２が撮像した被検体１の体内画像、被検体１の診断レポート等を表示する。カードＩ／Ｆ４３は、記録媒体５が着脱可能に挿着され、挿着された記録媒体５と制御部４６との間のデータの入出力を行う。インターフェース４４は、ネットワーク６０を介して医療情報管理サーバ３０と通信接続され、この医療情報管理サーバ３０と情報通信を行う。
【００２９】
記憶部４５は、ＲＡＭ、ＥＥＰＲＯＭ、フラッシュメモリ、またはハードディスク等の書き換え可能にデータを保存する各種記憶メディアを用いて実現される。記憶部４５は、制御部４６が記憶指示した各種データを記憶し、記憶した各種データの中から制御部４６が読み出し指示したデータを制御部４６に送出する。このような記憶部４５は、医療情報管理サーバ３０側から転送され、または入力部４１の手動操作で入力設定される患者情報、検査情報（検査ＩＤまたは仮の検査ＩＤを含む）をそれぞれ格納する格納欄４５ａ，４５ｂを有する。また、記憶部４５は、受信装置５０（記録媒体５）側から転送される画像データ群を格納する格納欄４５ｃ、複数の被検体の症例データ群を格納した格納欄４５ｄ、ワークステーション４０においてピックアップされたピックアップ画像データ群を格納する格納欄４５ｅ、ワークテーション４０において作成された診断レポートの情報を格納する格納欄４５ｆを有する。症例データ群に含まれる一つの被検体の症例データは、その被検体の体内画像群、患者情報、検査情報、各体内画像の時間情報、診断レポート情報等を含む。
【００３０】
制御部４６は、ワークステーション４の各構成部（入力部４１、表示部４２、カードＩ／Ｆ４３、インターフェース４４、および記憶部４５）を制御し、各構成部間における信号の入出力を制御する。また、制御部４６は、入力部４１によって入力された指示情報に基づいて、症例データ群の中から所望の被検体の症例データを読み出し、この読み出した症例データに含まれる被検体の体内画像群等を表示部４２に表示させる。このような本実施の形態の制御部４６は、転送処理部４６ａと画像抽出部４６ｂとレポート作成部４６ｃと接続判定部４６ｄと仮検査ＩＤ発行部４６ｅとを備える。転送処理部４６ａは、受信装置５０への患者情報、検査情報の転送に際して、患者情報、検査情報に検査ＩＤまたは仮の検査ＩＤを付加して転送する処理を行うためのものである。
【００３１】
また、画像抽出部４６ｂは、格納欄４５ｃに格納された画像データ群中から、ユーザによる指示操作の下に病変部と疑われる画像をピックアップする処理を行うもので、ピックアップ画像群を格納欄４５ｅに格納させる。また、レポート作成部４６ｃは、症例データ群の中から選択された被検体の症例データ等を元に、被検体１の患者情報、被検体１の診断結果等を掲載した診断レポートを診断結果として作成し、作成した診断レポートを格納欄４５ｆに格納させる。
【００３２】
さらに、接続判定部４６ｄは、所定タイミングで、自身のワークステーション４０が医療情報管理サーバ３０にアクセス可能な接続状態にあるか否かを判定する処理を行う。接続状態にあるか否かの判定は、例えば所定のデータ（例えば、ダミーデータ）の送受信により行えばよい。また、接続状態の判定を行う所定タイミングは、医療情報管理サーバ３０から患者情報、検査情報（検査ＩＤを含む）を取得する際や、医療情報管理サーバ３０に対してピックアップ画像を転送する際である。
【００３３】
また、仮検査ＩＤ発行部４６ｅは、医療情報管理サーバ３０から患者情報、検査情報を取得する際に、医療情報管理サーバ３０側との接続状態が断の場合に、ワークステーション４０での患者情報、検査情報の入力設定に伴い、医療情報管理サーバ３０で付与される検査ＩＤに代えて仮の検査ＩＤを発行して付与する処理を行う。仮の検査ＩＤは、医療情報管理サーバ３０で付与される検査ＩＤと重複しないように別個の形式で付与される。例えば、００１，００２の如くシーケンシャルに管理制御される検査ＩＤに対して、仮の検査ＩＤは、＄１，＄２の如く設定される。
【００３４】
また、受信装置５０（記録媒体５）の構成について説明する。図５は、受信装置５０（記録媒体５）の概略構成例を示すブロック図である。受信装置５０は、カプセル型内視鏡２が無線送信した画像信号を受信する受信部５１と、この画像信号を基に被検体１の体内画像を生成する画像処理部５２と、上述の記録媒体５が挿着される記憶部５３と、受信装置３の各構成部を制御する制御部５４とを有する。ここで、記録媒体５に相当する記憶部５３は、検査に先立ちワークステーション４０側から転送設定された患者情報、検査情報（検査ＩＤまたは仮の検査ＩＤを含む）を格納する格納欄５３ａ，５３ｂを有するとともに、検査実行に伴いカプセル型内視鏡２から取得した画像データ群を格納する格納欄５３ｃを有する。
【００３５】
このようなシステム構成において、システムの動作制御例について図６を参照して説明する。まず、事前に、医療情報管理サーバ３０に対して患者情報、検査情報等がクライアント端末等を介して入力設定され、所定の検査ＩＤが付与される（ステップＳ１０１）。そして、内視鏡検査の開始に先立ち、患者情報、検査情報等の取得タイミングになると（ステップＳ１０２；Ｙｅｓ）、接続判定部４６ｄによって医療情報管理サーバ３０との接続状態を確認する（ステップＳ１０３）。ここで、接続状態にあれば（ステップＳ１０３；Ｙｅｓ）、ワークステーション４０は、ネットワーク６０を介して医療情報管理サーバ３０にアクセスして患者情報、検査情報を検索することで（ステップＳ１０４）、所望の患者情報、検査情報を検査ＩＤとともに、医療情報管理サーバ３０からの転送により取得する（ステップＳ１０５）。
【００３６】
一方、医療情報管理サーバ３０と接続されていない場合には（ステップＳ１０３；Ｎｏ)、ワークステーション４０において入力部４１の手動操作等によって患者情報、検査情報を入力設定するとともに、仮検査ＩＤ発行部４６ｅによって仮の検査ＩＤを発行し付与する（ステップＳ１０６）。
【００３７】
そして、ワークステーション４０の転送処理部４６ａは、転送または入力設定により取得した患者情報、検査情報（検査ＩＤまたは仮の検査ＩＤを含む）を、対象となる受信装置５０に対して転送する（ステップＳ１０７）。受信装置５０（記録媒体５）は、ワークステーション４０から取り外され、被検体１の体表に装着された後、嚥下されたカプセル型内視鏡２から送信されてくる最大約８時間分（約６００００枚）の画像を蓄積する検査を実行する（ステップＳ１０８）。カプセル型内視鏡２による検査終了後、受信装置５０は、被検体１から取り外され、再びワークステーション４０に接続される。この接続により、受信装置５０は、カプセル型内視鏡２で撮像されて受信した被検体内画像情報を検査ＩＤまたは仮の検査ＩＤと対応付けてワークステーション４０に転送する（ステップＳ１０９）。
【００３８】
被検体内画像情報が転送されたワークステーション４０では、ユーザによる指示操作の下に、画像抽出部４６ｂが病変部と疑われる画像をピックアップする（ステップＳ１１０）。そして、医療情報管理サーバ３０に対するピックアップ画像の転送に際して、ワークステーション４０の接続判定部４６ｅは、医療情報管理サーバ３０との接続状態を確認する（ステップＳ１１１）。ここで、接続状態にあれば（ステップＳ１１１；Ｙｅｓ）、ワークステーション４０は、ネットワーク６０を介して医療情報管理サーバ３０にアクセスして患者情報、検査情報（検査ＩＤまたは仮の検査ＩＤを含む）とともにピックアップ画像を転送する（ステップＳ１１２）。
【００３９】
ピックアップ画像が転送された医療情報管理サーバ３０では、仮の検査ＩＤが含まれているか否かを判定し（ステップＳ１１３）、仮の検査ＩＤが含まれておらず検査ＩＤが含まれている場合には（ステップＳ１１３；Ｎｏ）、レポート作成部３１ｃがピックアップ画像を元に診断レポートを作成してレポート格納欄３２ｄに格納する（ステップＳ１１４）。一方、仮の検査ＩＤが含まれている場合には（ステップＳ１１３；Ｙｅｓ）、登録処理部３１ｄがワークステーション４０において入力設定された患者情報、検査情報を元にデータベース３２内を検索し、未登録の場合には、これら患者情報、検査情報をデータベース３２に登録する（ステップＳ１１５）。そして、レポート作成部３１ｃがピックアップ画像を元に診断レポートを作成してレポート格納欄３２ｄに格納する（ステップＳ１１４）。
【００４０】
一方、医療情報管理サーバ３０と接続されていない場合には（ステップＳ１１１；Ｎｏ)、ワークステーション４０のレポート作成部４６ｃは、ピックアップ画像を元に診断レポートを作成する（ステップＳ１１６）。そして、医療情報管理サーバ３０との接続状態を監視し、医療情報管理サーバ３０との接続が復旧したら（ステップＳ１１７；Ｙｅｓ）、作成した診断レポートを医療情報管理サーバ３０側に転送する（ステップＳ１１８）。
【００４１】
診断レポートが転送された医療情報管理サーバ３０では、仮の検査ＩＤが含まれているか否かを判定し（ステップＳ１１９）、仮の検査ＩＤが含まれておらず検査ＩＤが含まれている場合には（ステップＳ１１９；Ｎｏ）、転送された診断レポートをレポート格納欄３２ｄに格納する（ステップＳ１２０）。一方、仮の検査ＩＤが含まれている場合には（ステップＳ１１９；Ｙｅｓ）、登録処理部３１ｄがワークステーション４０において入力設定された患者情報、検査情報を元にデータベース３２内を検索し、未登録の場合には、これら患者情報、検査情報をデータベース３２に登録する（ステップＳ１２１）。そして、転送された診断レポートをレポート格納欄３２ｄに格納する（ステップＳ１１９）。
【００４２】
このように、本実施の形態の医療情報管理ネットワークシステム２０によれば、ワークステーション４０は、患者情報、検査情報を取得する際には、医療情報管理サーバ３０との接続状態を確認し、医療情報管理サーバ３０と接続されていない場合には、スタンドアロン方式の従来システムとの共存によって当該ワークステーション４０自身で患者情報、検査情報を入力設定するとともに仮の検査ＩＤを付与して受信装置５０に転送することで、医療情報管理サーバ３０から患者情報、検査情報を取得できない状況であっても検査を継続し、仮の検査ＩＤと抽出されたピックアップ画像とを医療情報管理サーバ３０に転送して医療情報管理サーバ３０で仮の検査ＩＤが付与された患者情報、検査情報を登録した上で診断レポートを作成してデータベース３２に記憶させ、管理する情報の整合性を確保することができる。
【００４３】
また、本実施の形態の医療情報管理ネットワークシステム２０によれば、ワークステーション４０は、受信装置５０から取得した被検体内画像情報から所定のピックアップ画像を抽出して医療情報管理サーバ３０に転送する際にも、医療情報管理サーバ３０との接続状態を確認し、医療情報管理サーバ３０と接続されていない場合には医療情報管理サーバ３０での診断レポートの作成を待つことなく、スタンドアロン方式の従来システムとの共存によってワークステーション４０側で診断レポートを作成して接続復旧後に検査ＩＤまたは仮の検査ＩＤとともに医療情報管理サーバ３０に転送して医療情報管理サーバ３０で仮の検査ＩＤが付与された患者情報、検査情報を登録した上で診断レポートを記憶させることで、患者情報、検査情報がワークステーション４０側で入力設定された場合であっても診断を継続させることができ、管理する情報の整合性を確保することができる。
【図面の簡単な説明】
【００４４】
【図１】本発明の実施の形態にかかるカプセル内視鏡システムの一例を示す模式図である。
【図２】実施の形態の医療情報管理ネットワークシステムの構成の一例を示す概略図である。
【図３】医療情報管理サーバの概略構成例を示すブロック図である。
【図４】ワークステーションの概略構成例を示すブロック図である。
【図５】受信装置の概略構成例を示すブロック図である。
【図６】システムの動作制御例を示す概略フローチャートである。
【符号の説明】
【００４５】
１  被検体
２  カプセル型内視鏡
３０  医療情報管理サーバ
４０  ワークステーション
５０  受信装置
６０  ネットワーク
【図１】
2009061123.tif 000003
【図２】
2009061123.tif 000004
【図３】
2009061123.tif 000005
【図４】
2009061123.tif 000006
【図５】
2009061123.tif 000007
【図６】
2009061123.tif 000008